【事件の表示】
　特許第２９８０４９１号「カメラ」の請求項１ないし３に係る特許に対する特許異議の申立てについて、次のとおり決定する。
【結　論】
　訂正を認める。
　特許第２９８０４９１号の請求項１ないし３に係る特許を維持する。
【理　由】
（１）手続の経緯
　特許第２９８０４９１号の請求項１〜３に係る発明は、平成５年８月５日に特許出願され、平成１１年９月１７日にその特許の設定登録がなされ、その後異議申立人富岡康之により特許異議の申立がなされ、取消理由通知がなされ、その指定期間内である平成１２年１０月６日に訂正請求がなされたものである。
　
（２）訂正の適否についての判断
　（ア）訂正の内容
訂正事項ａ
　請求項１を「【請求項１】　フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、
　前記平板部の前側に配置され、少なくともレンズを保持するマウントの取り付部および前記レンズから像を接眼部へ導くためのミラーの支持部を備えた前板と、
　前記前板と前記平板部との間に挟まれたシャッターと、
　前記カメラ本体の前記パトローネ室から前記スプール室の下側にかけて延び、前記マウント取り付け部と前記平板部との間の前記前板および前記シャッターの下側を含めて前記パトローネ室から前記スプール室の下側をほぼ覆うように少なくとも前記カメラ本体にビスにより締結される下面地板とを有し、
　前記下面地板と前記カメラ本体との固定のための締結位置を、少なくとも前記パトローネ室の位置、前記スプール室の位置および前記平板部の位置とし、かつ前記下面地板は、下面側にてフィルム給送系を構成する部品を支持することを特徴するカメラ。」と訂正する。
　
　訂正事項ｂ
　請求項３を「【請求項３】　前記下面地板を、前記カメラ本体と前記前板とに締結したことを特徴とする請求項1又は2に記載のカメラ。」と訂正する。
　
訂正事項ｃ
　明細書の段落【０００６】を「【課題を解決するための手段】上記課題を解決するために、本発明のカメラでは、フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、前記平板部の前側に配置され、少なくともレンズを保持するマウントの取り付け部および前記レンズから像を接眼部へ導くためのミラーの支持部を備えた前板と、前記前板と前記平板部との間に挟まれたシャッターと、前記カメラ本体の前記パトローネ室から前記スプール室の下側にかけて延び、前記マウント取り付け部と前記平板部との間の前記前板および前記シャッターの下側を含めて前記パトローネ室から前記スプール室の下側をほぼ覆うように少なくとも前記カメラ本体にビスにより締結される下面地板とを設け、前記下面地板と前記カメラ本体との固定のための締結位置を、少なくとも前記パトローネ室の位置、前記スプール室の位置および前記平板部の位置とし、かつ前記下面地板に、下面側にてフイルム給送系を構成する部品を支持させている。
　これにより、コストを上げずに、かつカメラとしての強度を損なうことなく、形状自由度の高い下面地板によりカメラ下部を構成することが可能となる。このため、図3に示すように、下面地板の上側に、レンズを保持するマウントの取り付け部およびレンズから像を接眼部へ導くためのミラーが支持される前板が配置されるような場合には、下面地板を前板の下側のスペース(マウントの取り付け部とカメラ本体の平板部との間の前板およびシャッターの下側のスペース)を有効活用できる形状とすることが可能となる。したがって、下面地板の下面側にフィルム給送系を構成する部品を支持させることができ、カメラの小型化を図ることが可能となる。
　また、下面地板とカメラ本体との固定のための締結位置を、少なくともパトローネ室の位置、前記スプール室の位置および前記平板部の位置としたことにより、カメラ本体単体での反りが下面地板の締結前に若干生じていたとしても、その反りを矯正し、特にフランジバックに影響するアパチャー、レール面領域の精度を高精度化することが可能になる。しかも、締結後の反りの発生も抑えることが可能となる。
　なお、上記前板を有する場合には、下面地板をカメラ本体と前板とに締結するのがよい。」と訂正する。
　
訂正事項ｄ
　明細書の段落【００１０】を「図1において、1はカメラ本体、2はレンズを保持するマウントの取り付け部と、レンズからの像を接眼部へ導くためのミラーユニットの支持部と、ペンタダハプリズムの支持部等を持つ前板、3は前記カメラ本体のパトローネ室からスプール室の下側にかけて、フィルム給送系のギヤを支持する等の機能を有し、上記マウントの取り付け部とカメラ本体1の平板部との間の前板2およびシャッター4の下側を含めて該パトローネ室からスプール室の下側をほぼ覆う下面地板である。」と訂正する。
　
訂正事項ｅ
　明細書の段落【００１４】を「【発明の効果】以上説明したように、本発明によれば、カメラ本体と下面地板とを別体構成とした上で、これらカメラ本体と下面地板とを、少なくともパトローネ室の位置、スプール室の位置および平板部の位置でビスにより締結したので、コストを上げずに、かつカメラとしての強度を損なうことなく、形状自由度の高い下面地板によりカメラ下部を構成することができる。したがって、下面地板の上側に、少なくともレンズを保持するマウントの取り付け部およびレンズから像を接眼部へ導くためのミラーが支持される前板が配置されるような場合に、下面地板を前板の下側のスペース(マウントの取り付け部とカメラ本体の平板部との間の前板およびシャッターの下側のスペース)を有効活用できる形状とする、つまりは下面地板の下面側にフィルム給送系を構成する部品を支持させることができ、これによりカメラの小型化を図ることができる。
　また、下面地板とカメラ本体との固定のための締結位置を、少なくともパトローネ室の位置、スプール室の位置および平板部の位置としたことにより、カメラ本体単体での反りが下面地板の締結前に若干生じていたとしても、その反りを矯正し、特にフランジバックに影響するアパチャー、レール面領域の精度を高精度化することができる。しかも、締結後の反りの発生も抑えることができる。
　また、下面地板とカメラ本体の平板部との締結部や下面地板と前板との締結部に段ビスを使用し、これら締結部の下面地板厚みよりも段ビスの段部長さを若干長くすれば、部品の寸法誤差による組立誤差があっても、締結によるカメラ本体(特に、平板部)の変形を防止することができる。」と訂正する。
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　訂正事項ｂに係る訂正は、請求項１の訂正に伴う、明瞭でない記載の釈明に該当し、実質的に特許請求の範囲を拡張又は変更するものではないし、新規事項の追加にも該当しない。
　
　訂正事項ｃ、ｄ及びｅに係る訂正は、明瞭でない記載の釈明に該当し、実質的に特許請求の範囲を拡張又は変更するものではないし、新規事項の追加にも該当しない。
　
　（ウ）訂正明細書の請求項４に係る発明の独立特許要件について
　　（ウー１）訂正明細書の請求項４に係る発明
　訂正明細書の請求項４に係る発明は、特許請求の範囲の請求項４に記載された事項により特定される次のとおりのものである。
「【請求項４】　前記下面地板と前記前板との締結部に段ビスを使用し、
　この締結部の下面地板厚みよりも前記段ビスの段部の長さを若干長くしたことを特徴とする請求項3に記載のカメラ。」
　
　　（ウー２）引用刊行物
（Ａ）　異議申立人が提示した甲第１号証（実公平４−３５８７３号公報）には、
「ここで、カメラボディ本体１１は第２図、第３図に示す如くその略中央に露出開口１８を有し、その上下に既知のフィルムガイドレール１９ａ，１９ｂが設けられている。さらに、その右方にはパトローネ収納室Ｐを形成するため略半円状の周壁２０及び上壁２１が設けられており、左方には巻上フィルム収納室Ｆを形成するための略半円状の周壁２２及び上壁２３が設けられている。」（第２頁左欄第３７行〜同頁右欄第１行）
　
「一方、下部カメラボディ１４は第２図、第４図に示す如くその上面に、上記パトローネ収納室Ｐの周壁２０の下端が嵌入する形状の嵌合溝２５及び巻上フィルム収納室Ｆの周壁２２の下端が嵌入する形状の嵌合溝２６が設けられている。さらに上記各嵌合溝２５，２６の略中心からは、各々パトローネの巻軸（図示省略）に係合するフィルム巻戻し軸２７、フィルム（図示省略）を巻上げるスプール２８が回動自在に突出している。このスプール２８にはフィルムのパーフォレーションに係合する巻上爪２８ａが設けられている。また、この上記巻戻し軸２７及びスプール２８は各々適宜の歯車列２９０，３００、一方向クラッチ３１０，３２０を介して、モータ３３０の出力歯車３４０に連結されており、このモータの正転、逆転に応じて択一的に駆動されるようになっている。これら歯車列２９０，３００、一方向クラッチ３１０，３２０、出力歯車３４０でフィルム移送機構１３を構成している。さらに、この下部カメラボディ１４の前面には、前記カメラボディ本体１１に設けた凹所２４ａ，２４ｂと嵌合する突起３０ａ，３０ｂが設けられている。また、この下部カメラボディ１４の上面角部には慣通孔３１ａ，３１ｂが設けられており、カメラボディ本体１１に設けられたネジ孔（図示省略）へこの慣通孔３１ａ，３１ｂを介してネジ（図示省略）を螺入することにより、上記両者が一体化されるようになっている。」（第２頁右欄第８〜３５行）が記載されている。
　
（Ｂ）　同参考資料１〔実願昭６３−１３２６３１号（実開平２−５３５０６号）のマイクロフィルム〕、参考資料２〔実願昭６０−１２０４１１号（実開昭６２−２８９０８号）のマイクロフィルム〕、参考資料３〔実願昭５９−１８９８０７号（実開昭６１−１０４８１５号）のマイクロフィルム〕には、段ビスを用いてある程度の遊びを維持しつつ部材どうしを結合することが記載されている。
　
　　（ウー３）対比・判断
　訂正明細書の請求項４に係る発明と上記甲第１号証及び参考資料１〜３に記載の発明とを対比すると、甲第１号証及び参考資料１〜３に記載の発明は、訂正明細書の請求項４に係る発明を特定する事項である「フィルムのパトローネを収納するパトローネ室と、フィルムを巻き取るスプールを覆うスプール室と、パトローネ室とスプール室とをつなぎ、少なくともアパチャーとフィルムのガイドとなるレール面とを備えた平板部とを一体に形成してなるカメラ本体と、」「カメラ本体のパトローネ室からスプール室の下側にかけて延び、マウント取り付け部と平板部との間の前板およびシャッターの下側を含めてパトローネ室からスプール室の下側をほぼ覆うように少なくともカメラ本体にビスにより締結される下面地板とを有」する点を備えておらず、この点により訂正明細書の請求項４に係る発明は、明細書記載の効果を奏するものであり、訂正明細書の請求項４に係る発明が上記甲第１号証及び参考資料１〜３のいずれかに記載された発明であるとも、甲第１号証及び参考資料１〜３記載の発明から容易に推考することができたものともいえない。
　
　（エ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
（３）特許異議の申立について
　（ア）申立の理由の概要
　申立人富岡康之は、証拠として甲第１号証（実公平４−３５８７５号公報）、及び参考資料１〔実願昭６３−１３２６３１号（実開平２−５３５０６号）のマイクロフィルム〕、参考資料２〔実願昭６０−１２０４１１号（実開昭６２−２８９０８号）のマイクロフィルム〕、参考資料３〔実願昭５９−１８９８０７号（実開昭６１−１０４８１５号）のマイクロフィルム〕を提出し、本件請求項１に係る発明は、甲第１号証に記載された発明であり、本件請求項１〜３に係る発明は、甲第１号証記載の発明に基づいて当業者が容易に発明することができたものである。したがって、本件請求項１〜３に係る発明の特許は特許法第２９条第１項第３号あるいは第２項の規定に違反してなされたものであるので、本件請求項１〜３に係る発明の特許を取り消すべき旨主張している。
　
　（イ）本件請求項１〜３に係る発明
「【請求項１】　フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、
　前記平板部の前側に配置され、少なくともレンズを保持するマウントの取り付部および前記レンズから像を接眼部へ導くためのミラーの支持部を備えた前板と、
　前記前板と前記平板部との間に挟まれたシャッターと、
　前記カメラ本体の前記パトローネ室から前記スプール室の下側にかけて延び、前記マウント取り付け部と前記平板部との間の前記前板および前記シャッターの下側を含めて前記パトローネ室から前記スプール室の下側をほぼ覆うように少なくとも前記カメラ本体にビスにより締結される下面地板とを有し、
　前記下面地板と前記カメラ本体との固定のための締結位置を、少なくとも前記パトローネ室の位置、前記スプール室の位置および前記平板部の位置とし、かつ前記下面地板は、下面側にてフィルム給送系を構成する部品を支持することを特徴するカメラ。
　
【請求項２】　前記下面地板と前記カメラ本体の前記平板部との締結部に段ビスを使用し、
　この締結部の下面地板厚みよりも前記段ビスの段部長さを若干長くしたことを特徴とする請求項1に記載のカメラ。
　
【請求項３】　　前記下面地板を、前記カメラ本体と前記前板とに締結したことを特徴とする請求項1又は2に記載のカメラ。」
　
　（ウ）引用刊行物
　本件請求項１〜３に係る発明に対して、当審が平成１２年７月１８日付で通知した取消理由で引用した刊行物１〔甲第１号証（実公平４−３５８７３号公報）〕、及び参考資料１〔実願昭６３−１３２６３１号（実開平２−５３５０６号）のマイクロフィルム〕、参考資料２〔実願昭６０−１２０４１１号（実開昭６２−２８９０８号）のマイクロフィルム〕、参考資料３〔実願昭５９−１８９８０７号（実開昭６１−１０４８１５号）のマイクロフィルム〕には、上記「（２）訂正の適否についての判断、（ウー２）引用刊行物（Ａ）、（Ｂ）」で示した発明が記載されている。
　
　（エ）対比・判断
　本件請求項１〜３に係る発明と上記刊行物１（甲第１号証）及び参考資料１〜３に記載の発明とを対比すると、上記「（２）訂正の適否についての判断、（ウー３）対比・判断」記載の理由により、本件請求項１〜３に係る発明が上記刊行物１及び参考資料１〜３のいずれかに記載された発明であるとも、刊行物１及び参考資料１〜３記載の発明から容易に推考することができたものともいえない。
　
　（オ）むすび
　以上のとおりであるから、特許異議の申立の理由及び証拠によっては、本件請求項１〜３に係る発明についての特許を取り消すことはできない。
　また、他に本件請求項１〜３に係る発明についての特許を取り消すべき理由を発見しない。
　したがって、本件請求項１〜３に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月２５日（２００１．６．２５）
【訂正の要旨】
　（訂正の要旨）
訂正事項ａ
　請求項１を「【請求項１】　フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、
　前記平板部の前側に配置され、少なくともレンズを保持するマウントの取り付部および前記レンズから像を接眼部へ導くためのミラーの支持部を備えた前板と、
　前記前板と前記平板部との間に挟まれたシャッターと、
　前記カメラ本体の前記パトローネ室から前記スプール室の下側にかけて延び、前記マウント取り付け部と前記平板部との間の前記前板および前記シャッターの下側を含めて前記パトローネ室から前記スプール室の下側をほぼ覆うように少なくとも前記カメラ本体にビスにより締結される下面地板とを有し、
　前記下面地板と前記カメラ本体との固定のための締結位置を、少なくとも前記パトローネ室の位置、前記スプール室の位置および前記平板部の位置とし、かつ前記下面地板は、下面側にてフィルム給送系を構成する部品を支持することを特徴するカメラ。」と訂正する。
　訂正事項ｂ
　請求項３を「【請求項３】　前記下面地板を、前記カメラ本体と前記前板とに締結したことを特徴とする請求項１又は２に記載のカメラ。」と訂正する。
訂正事項ｃ
　明細書の段落【０００６】を「【課題を解決するための手段】上記課題を解決するために、本発明のカメラでは、フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、前記平板部の前側に配置され、少なくともレンズを保持するマウントの取り付け部および前記レンズから像を接眼部へ導くためのミラーの支持部を備えた前板と、前記前板と前記平板部との間に挟まれたシャッターと、前記カメラ本体の前記パトローネ室から前記スプール室の下側にかけて延び、前記マウント取り付け部と前記平板部との間の前記前板および前記シャッターの下側を含めて前記パトローネ室から前記スプール室の下側をほぼ覆うように少なくとも前記カメラ本体にビスにより締結される下面地板とを設け、前記下面地板と前記カメラ本体との固定のための締結位置を、少なくとも前記パトローネ室の位置、前記スプール室の位置および前記平板部の位置とし、かつ前記下面地板に、下面側にてフイルム給送系を構成する部品を支持させている。
　これにより、コストを上げずに、かつカメラとしての強度を損なうことなく、形状自由度の高い下面地板によりカメラ下部を構成することが可能となる。このため、図３に示すように、下面地板の上側に、レンズを保持するマウントの取り付け部およびレンズから像を接眼部へ導くためのミラーが支持される前板が配置されるような場合には、下面地板を前板の下側のスペース（マウントの取り付け部とカメラ本体の平板部との間の前板およびシャッターの下側のスペース）を有効活用できる形状とすることが可能となる。したがって、下面地板の下面側にフィルム給送系を構成する部品を支持させることができ、カメラの小型化を図ることが可能となる。
　また、下面地板とカメラ本体との固定のための締結位置を、少なくともパトローネ室の位置、前記スプール室の位置および前記平板部の位置としたことにより、カメラ本体単体での反りが下面地板の締結前に若干生じていたとしても、その反りを矯正し、特にフランジバックに影響するアパチャー、レール面領域の精度を高精度化することが可能になる。しかも、締結後の反りの発生も抑えることが可能となる。
　なお、上記前板を有する場合には、下面地板をカメラ本体と前板とに締結するのがよい。」と訂正する。
訂正事項ｄ
　明細書の段落【００１０】を「図１において、１はカメラ本体、２はレンズを保持するマウントの取り付け部と、レンズからの像を接眼部へ導くためのミラーユニットの支持部と、ペンタダハプリズムの支持部等を持つ前板、３は前記カメラ本体のパトローネ室からスプール室の下側にかけて、フィルム給送系のギヤを支持する等の機能を有し、上記マウントの取り付け部とカメラ本体１の平板部との間の前板２およびシャッター４の下側を含めて該パトローネ室からスプール室の下側をほぼ覆う下面地板である。」と訂正する。
訂正事項ｅ
　明細書の段落【００１４】を「【発明の効果】以上説明したように、本発明によれば、カメラ本体と下面地板とを別体構成とした上で、これらカメラ本体と下面地板とを、少なくともパトローネ室の位置、スプール室の位置および平板部の位置でビスにより締結したので、コストを上げずに、かつカメラとしての強度を損なうことなく、形状自由度の高い下面地板によりカメラ下部を構成することができる。したがって、下面地板の上側に、少なくともレンズを保持するマウントの取り付け部およびレンズから像を接眼部へ導くためのミラーが支持される前板が配置されるような場合に、下面地板を前板の下側のスペース（マウントの取り付け部とカメラ本体の平板部との間の前板およびシャッターの下側のスペース）を有効活用できる形状とする、つまりは下面地板の下面側にフィルム給送系を構成する部品を支持させることができ、これによりカメラの小型化を図ることができる。
　また、下面地板とカメラ本体との固定のための締結位置を、少なくともパトローネ室の位置、スプール室の位置および平板部の位置としたことにより、カメラ本体単体での反りが下面地板の締結前に若干生じていたとしても、その反りを矯正し、特にフランジバックに影響するアパチャー、レール面領域の精度を高精度化することができる。しかも、締結後の反りの発生も抑えることができる。
　また、下面地板とカメラ本体の平板部との締結部や下面地板と前板との締結部に段ビスを使用し、これら締結部の下面地板厚みよりも段ビスの段部長さを若干長くすれば、部品の寸法誤差による組立誤差があっても、締結によるカメラ本体（特に、平板部）の変形を防止することができる。」と訂正する。
（５４）【発明の名称】
カメラ
（５７）【特許請求の範囲】
　【請求項１】　フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、
　
前記平板部の前側に配置され、少なくともレンズを保持するマウントの取り付部および前記レンズから像を接眼部へ導くためのミラーの支持部を備えた前板と
　
前記前板と前記平板部との間に挟まれたシャッターと、
　前記カメラ本体の前記パトローネ室から前記スプール室の下側にかけて延び、
前記マウント取り付け部と前記平板部との間の前記前板および前記シャッターの下側を含めて
ビスにより
　前記下面地板と前記カメラ本体との固定のための締結位置を、少なくとも前記パトローネ室の位置、前記スプール室の位置および前記平板部の位置とし、かつ前記下面地板は、下面側にてフィルム給送系を構成する部品を支持することを特徴するカメラ。
　【請求項２】　前記下面地板と前記カメラ本体の前記平板部との締結部に段ビスを使用し、
　この締結部の下面地板厚みよりも前記段ビスの段部長さを若干長くしたことを特徴とする請求項１に記載のカメラ。
　【請求項３】　
　前記
　【請求項４】　前記下面地板と前記前板との締結部に段ビスを使用し、
　この締結部の下面地板厚みよりも前記段ビスの段部の長さを若干長くしたことを特徴とする請求項３に記載のカメラ。
【発明の詳細な説明】
　【０００１】
　【産業上の利用分野】
　本発明はカメラに係り、特にカメラの構造に関する。
　【０００２】
　【従来の技術】
　従来、一眼レフカメラの構造としては、例えば図６に示すように、カメラ本体１１はパトローネ室部１１ａとスプール室部１１ｂとをつなぐようにアパチャー及びフィルムのガイドとなるレール面を持つ平板部１１ｃが形成され、更にパトローネ室部１１ａとスプール室部１１ｂを下側でつなぐように棚板部１１ｄが形成されており、これに前板１２が取り付けられるようになっていた。
　【０００３】
　また、図７に示すようにカメラ本体２１のパトローネ室部２１ａとスプール室部２１ｂを下側でつながず、カメラ本体２１と前板２２を下側でつなぐように金属製の板２３でカメラの下側を一部分覆うようにしたものもあり、この場合は本体のアパチャー部に斜線で示すダイキャスト２１ｄをインサートして補強をおこなっている。
　【０００４】
　【発明が解決しようとしている課題】
　しかしながら、上記した図６の従来例ではカメラ本体の強度は十分にあり、オールモールドのカメラ本体１１も可能であったが、図３の（ｂ）で示すように前板１２およびシャッター４とカメラ本体１１の間にできるスペースＣを有効に活用できなかった。これは、カメラ本体１１を成形する際に、アンダーカット部を作らないようにする等を考えると、スペースＣの下にカメラ本体１１があるため前板１２およびシャッター４とカメラ本体１１の間のスペースＣを使うのに制約をうけてしまって設計の自由度が損なわれ有効活用の妨げとなっていた。
　【０００５】
　また、図７の従来例では上記スペースＣを有効に使えるものの、カメラとしての強度を保持する為、カメラ本体にダイキャスト２１ｄをインサートするといった手段をとっているので、コスト高となってしまった。
　【０００６】
　【課題を解決するための手段】
　上記課題を解決するために、本発明のカメラでは、フィルムのパトローネを収納するパトローネ室と、フィルムを巻き取るスプールを覆うスプール室と、前記パトローネ室と前記スプール室とをつなぎ、少なくともアパチャーとフィルムのガイドとなるレール面とを備えた平板部とを一体に形成してなるカメラ本体と、
前記平板部の前側に配置され、少なくともレンズを保持するマウントの取り付け部および前記レンズから像を接眼部へ導くためのミラーの支持部を備えた前板と、前記前板と前記平板部との間に挟まれたシャッターと、
前記マウント取り付け部と前記平板部との間の前記前板および前記シャッターの下側を含めて
ビスにより
　これにより、コストを上げずに、かつカメラとしての強度を損なうことなく、形状自由度の高い下面地板によりカメ下部を構成することが可能となる。このため、図３に示すように、下面地板の上側に、
レンズを保持するマウントの取り付け部および
（マウントの取り付け部とカメラ本体の平板部との間の前板およびシャッターの下側のスペース）
　また、下面地板とカメラ本体との固定のための締結位置を、少なくともパトローネ室の位置、前記スプール室の位置および前記平板部の位置としたことにより、カメラ本体単体での反りが下面地板の締結前に若干生じていたとしても、その反りを矯正し、特にフランジバックに影響するアパチャー、レール面領域の精度を高精度化することが可能になる。しかも、締結後の反りの発生も抑えることが可能となる。
　なお、上記前板を有する場合には、下面地板をカメラ本体と前板とに締結するのがよい。
　【０００７】
　また、前記下面地板をカメラ本体および前板に取り付けるときに、図４に示すカメラ本体１のアパチャーおよびレール面等が形成されている平板部および前板２（斜線部Ａの範囲）にビス締めする部分では、図５に示すように段ビス等を使ってカメラ本体および前板に下面地板を完全に押し付けないようにすることで、カメラとしての強度を損ねることなく、組立誤差によるカメラ本体の変形を少なくすることができる。
　【０００８】
　【実施例】
　図１及び図２は本発明の一実施例を示し、図１はカメラ本体１と前板２と下面地板３との構成を示した斜視図であり、図２はカメラ本体１を背面方向から見た斜視図である。
　【０００９】
　図２において、１ａはフィルムのパトローネを収納するパトローネ室、１ｂはフイルムを巻き取るスプールを覆うスプール室、１ｃはフィルムのガイドであるレール面、１ｄはアパチャーで、カメラ本体１はパトローネ室１ａとスプール室１ｂをつなぐようにレール面１ｃとアパチャー１ｄ等から構成されている。
　【００１０】
　図１において、１はカメラ本体、２はレンズを保持するマウントの取り付け部と、レンズからの像を接眼部へ導くためのミラーユニットの支持部と、ペンタダハプリズムの支持部等を持つ前板、３は前記カメラ本体のパトローネ室からスプール室の下側にかけて、フィルム給送系のギヤを支持する等の機能を有し、
上記マウントの取り付け部とカメラ本体１の平板部との間の前板２およびシャッター４の下側を含めて
　【００１１】
　カメラ本体１に対して前板２を取り付ける方向は図１に示すようになっており、下面地板３はカメラ本体１と前板２の下側から上方向に取り付けられる。下面地板３はフィルム給送系のギヤの支持や、背蓋のヒンジ軸受け穴や、三脚ネジ等の機能を有し、形状的には、単なる板ではなく十分な強度をもつ形状となっていると同時に単一部品に複数の機能を持っているためコスト的にも安価なものになっている。下面地板３がカメラ本体１のパトローネ室からスプール室の下側をほぼ覆うように付く為、カメラ本体１に下面地板３が取り付けられた状態ではカメラ本体１の強度は図６に示されている従来例のカメラ本体１１と同等もしくはそれ以上となる。また、下面地板の一部でカメラの外観を兼ねることも可能である。
　【００１２】
　図３は、カメラの断面図で、（ａ）は本発明の実施例、（ｂ）は従来例で、４はシャッターである。（ｂ）に示す従来のカメラでは、カメラ本体１１と下面板部（図６にいう棚板部１１ｄ）とを一体とすることから、下面板部の形状の自由度が制約されるために、斜線で示すスペースＣの領域を有効に利用することができず、カメラ本体１１に取り付けられる各構成部品をスペースＣの下（つまりは下面板部の下側）に取り付けざるを得ない。これにより、カメラの大型化を招いていた。これに対し、（ａ）に示す本実施例のカメラでは、下面地板３が、カメラ本体１と別部品となったため、下面地板３の形状の自由度を増加させることができ、従来例のスペースＣに相当するスペースＢ（下面地板３の下面側）の領域に各構成部品を取り付けてこのスペースＢを有効利用できる。これにより、カメラの小型化を図ることができる。
　【００１３】
　図４は、図１に示す実施例のカメラ本体１に前板２を取り付けた状態の下面図で、１ｅはカメラ本体１の下面地板３を取り付けるためのビス穴、２ｅは前板２の下面地板３を取り付けるためのビス穴である。下面地板３をカメラ本体１および前板２にビスで取り付けるときに、カメラ本体１のアパチャーおよびレール面等が形成されている平板部および前板２（斜線部Ａの範囲）にビス締めする部分では、図５に示すように段ビス５を使ってカメラ本体１および前板２に下面地板３を完全に押し付けないようにしている。これは、下面地板３を組み付けるときに、部品の寸法精度による組立誤差が生じたとき、前記カメラ本体１のアパチャーおよびレール面等が形成されている平板部および前板２（斜線部Ａの範囲）にビス締めする部分をビスで完全に締め付けると、カメラ本体１が変形しやすいためであると同時に、レンズ先端に通常の使用では加わらないような大きな力が加わったときに、カメラ本体１及び前板２と下面地板３が離れてしまうことを防ぐためである。
　【００１４】
　【発明の効果】
　以上説明したように、本発明によれば、カメラ本体と下面地板とを別体構成とした上で、これらカメラ本体と下面地板とを、少なくともパトローネ室の位置、スプール室の位置および平板部の位置で
ビスにより
レンズを保持するマウントの取り付け部および
（マウントの取り付け部とカメラ本体の平板部との間の前板およびシャッターの下側のスペース）
　また、下面地板とカメラ本体との固定のための締結位置を、少なくともパトローネ室の位置、スプール室の位置および平板部の位置としたことにより、カメラ本体単体での反りが下面地板の締結前に若干生じていたとしても、その反りを矯正し、特にフランジバックに影響するアパチャー、レール面領域の精度を高精度化することができる。しかも、締結後の反りの発生も抑えることができる。
　また、下面地板とカメラ本体の平板部との締結部や下面地板と前板との締結部に段ビスを使用し、これら締結部の下面地板厚みよりも段ビスの段部長さを若干長くすれば、部品の寸法誤差による組立誤差があっても、締結によるカメラ本体（特に、平板部）の変形を防止することができる。
【図面の簡単な説明】
　【図１】
　本発明に一実施例を示し、カメラ本体と前板と下面地板の構成を示す斜視図。
　【図２】
　図１のカメラ本体を背面側から見た斜視図。
　【図３】
　カメラ本体の断面図で（ａ）は図１の実施例のカメラ本体を示し、（ｂ）は従来例を示す。
　【図４】
　図１の実施例のカメラ本体と前板を取り付けた状態を示す下面図。
　【図５】
　本発明の一実施例で、カメラ本体と下面地板の段ビスによる取り付け部の断面図。
　【図６】
　従来のカメラの構成を示した斜視図。
　【図７】
　従来のカメラの構成を示した斜視図。
　【符号の説明】
　１　カメラ本体
　１ａ　パトローネ室
　１ｂ　スプール室
　１ｃ　レール面
　１ｅ　下面地板取り付けビス穴
　２　前板
　２ｅ　下面地板取り付けビス穴
　３　下面地板
　４　シャッター
　１１　カメラ本体
　１１ａ　パトローネ室部
　１１ｂ　スプール室部
　１１ｃ　平板部
　１１ｄ　棚板部
　１２　前板
　２１　カメラ本体
　２１ａ　パトローネ室部
　２１ｂ　スプール室部
　２１ｃ　平板部
　２１ｄ　ダイキャスト
　２２　前板
　２３　金属板